(57)【特許請求の範囲】
【請求項１】
体脂肪率指標及び筋発達度指標に基づいて、抗加齢指標を推定する抗加齢指標推定手段と、
前記抗加齢指標推定手段により推定した前記抗加齢指標に基づいて、老化速度を推定する老化速度推定手段と、
を備えることを特徴とする老化予測装置。
【請求項２】
前記抗加齢指標推定手段が、
前記体脂肪率指標と、同性別の平均及び標準偏差とに基づいて、前記抗加齢指標として、体脂肪率指標による抗加齢指標を推定する第一の個別抗加齢指標推定手段と、
前記筋発達度指標と、同性別の平均及び標準偏差とに基づいて、前記抗加齢指標として、筋発達度指標による抗加齢指標を推定する第二の個別抗加齢指標推定手段と、
前記第一の個別抗加齢指標推定手段により推定した前記体脂肪率指標による抗加齢指標と、前記第二の個別抗加齢指標推定手段により推定した前記筋発達度指標による抗加齢指標とに基づいて、総合抗加齢指標を推定する総合抗加齢指標推定手段とを有する、
ことを特徴とする請求項１記載の老化予測装置。
【請求項３】
前記抗加齢指標推定手段が、
前記体脂肪率指標と、同性別の平均及び標準偏差とに基づいて、前記抗加齢指標として、体脂肪率指標による抗加齢指標を推定する第一の個別抗加齢指標推定手段と、
前記第一の個別抗加齢指標推定手段により推定した前記体脂肪率指標による抗加齢指標に基づいて、総合抗加齢指標を推定する総合抗加齢指標推定手段とを有する、
ことを特徴とする請求項１記載の老化予測装置。
【請求項４】
前記抗加齢指標推定手段が、
前記筋発達度指標と、同性別の平均及び標準偏差とに基づいて、前記抗加齢指標として、筋発達度指標による抗加齢指標を推定する第二の個別抗加齢指標推定手段と、
前記第二の個別抗加齢指標推定手段により推定した前記筋発達度指標による抗加齢指標に基づいて、総合抗加齢指標を推定する総合抗加齢指標推定手段とを有する、
ことを特徴とする請求項１記載の老化予測装置。
【請求項５】
現在の見た目年齢を推定する現在見た目年齢推定手段と、
予測する時期を取得する予測時期取得手段と、
前記現在見た目年齢推定手段により推定した前記現在の見た目年齢と、前記予測時期取得手段により取得した前記予測する時期と、前記老化速度推定手段により推定した前記老化速度とに基づいて、将来の見た目年齢を推定する将来見た目年齢推定手段と、
を更に備えることを特徴とする請求項１乃至４のうちいずれか１項に記載の老化予測装置。
【請求項６】
実年齢を取得する実年齢取得手段と、
前記現在見た目年齢推定手段により推定した前記現在の見た目年齢と前記実年齢取得手段により取得した前記実年齢とを比較し、現在の見た目年齢の状態を判定する現在見た目年齢状態判定手段と、
前記将来見た目年齢推定手段により推定した前記将来の見た目年齢と前記実年齢取得手段により取得した前記実年齢とを比較し、将来の見た目年齢の状態を判定する将来見た目年齢状態判定手段と、
前記現在見た目年齢状態判定手段により判定した前記現在の見た目年齢の状態と前記将来見た目年齢状態判定手段により判定した将来の見た目年齢の状態とに基づいて、見た目年齢に対する総合的な判定をする見た目年齢総合判定手段と、
を更に備えることを特徴とする請求項５記載の老化予測装置。
【請求項７】
前記体脂肪率指標を推定する体脂肪率指標推定手段と、
前記筋発達度指標を推定する筋発達度指標推定手段と、
を更に備えることを特徴とする請求項１乃至６のうちいずれか１項に記載の老化予測装置。
【請求項８】
コンピュータを、
体脂肪率指標及び筋発達度指標に基づいて、抗加齢指標を推定する抗加齢指標推定手段、
前記抗加齢指標推定手段により推定した前記抗加齢指標に基づいて、老化速度を推定する老化速度推定手段、
として機能させるためのプログラム。
【請求項９】
前記コンピュータを、
前記抗加齢指標推定手段が、
前記体脂肪率指標と、同性別の平均及び標準偏差とに基づいて、前記抗加齢指標として、体脂肪率指標による抗加齢指標を推定する第一の個別抗加齢指標推定手段、
前記筋発達度指標と、同性別の平均及び標準偏差とに基づいて、前記抗加齢指標として、筋発達度指標による抗加齢指標を推定する第二の個別抗加齢指標推定手段、
前記第一の個別抗加齢指標推定手段により推定した前記体脂肪率指標による抗加齢指標と、前記第二の個別抗加齢指標推定手段により推定した前記筋発達度指標による抗加齢指標とに基づいて、総合抗加齢指標を推定する総合抗加齢指標推定手段、
として機能させることを特徴とする請求項８記載のプログラム。
【発明の詳細な説明】
【技術分野】
【０００１】
本発明は、老化予測装置及びプログラムに関する。
【背景技術】
【０００２】
皮膚、体型、顔などから人の年齢を推定するさまざまな技術がある。
特許文献１には、関連する技術として、体幹部脂肪量と下肢脂肪量とに基づいてプロポーション年齢を求める技術が記載されている。
【先行技術文献】
【特許文献】
【０００３】
【特許文献１】特開２００４−０８１６２１号公報
【発明の概要】
【発明が解決しようとする課題】
【０００４】
ところで、このプロポーション年齢は、体型の見地から現在の見た目を年齢表現した指標である。
しかしながら、このような指標については、昨今、現状よりも将来について推定する要望が高くなってきた。
【０００５】
そこで、本発明は、上記のような従来の問題点を解決することを目的とするもので、簡単に、老化を予測することができる老化予測装置及びプログラムを提供することを目的としている。
【課題を解決するための手段】
【０００６】
上記課題を解決するために、本発明の老化予測装置は、
体脂肪率指標及び筋発達度指標に基づいて、抗加齢指標を推定する抗加齢指標推定手段と、
前記抗加齢指標推定手段により推定した前記抗加齢指標に基づいて、老化速度を推定する老化速度推定手段と、
を備えることを特徴とする。
【０００７】
また、本発明の老化予測装置は、
前記抗加齢指標推定手段が、
前記体脂肪率指標と、同性別の平均及び標準偏差とに基づいて、前記抗加齢指標として、体脂肪率指標による抗加齢指標を推定する第一の個別抗加齢指標推定手段と、
前記筋発達度指標と、同性別の平均及び標準偏差とに基づいて、前記抗加齢指標として、筋発達度指標による抗加齢指標を推定する第二の個別抗加齢指標推定手段と、
前記第一の個別抗加齢指標推定手段により推定した前記体脂肪率指標による抗加齢指標と、前記第二の個別抗加齢指標推定手段により推定した前記筋発達度指標による抗加齢指標とに基づいて、総合抗加齢指標を推定する総合抗加齢指標推定手段とを有する、
ことを特徴とする。
【０００８】
また、本発明の老化予測装置は、
前記抗加齢指標推定手段が、
前記体脂肪率指標と、同性別の平均及び標準偏差とに基づいて、前記抗加齢指標として、体脂肪率指標による抗加齢指標を推定する第一の個別抗加齢指標推定手段と、
前記第一の個別抗加齢指標推定手段により推定した前記体脂肪率指標による抗加齢指標に基づいて、総合抗加齢指標を推定する総合抗加齢指標推定手段とを有する、
ことを特徴とする。
【０００９】
また、本発明の老化予測装置は、
前記抗加齢指標推定手段が、
前記筋発達度指標と、同性別の平均及び標準偏差とに基づいて、前記抗加齢指標として、筋発達度指標による抗加齢指標を推定する第二の個別抗加齢指標推定手段と、
前記第二の個別抗加齢指標推定手段により推定した前記筋発達度指標による抗加齢指標に基づいて、総合抗加齢指標を推定する総合抗加齢指標推定手段とを有する、
ことを特徴とする。
【００１０】
また、本発明の老化予測装置は、
現在の見た目年齢を推定する現在見た目年齢推定手段と、
予測する時期を取得する予測時期取得手段と、
前記現在見た目年齢推定手段により推定した前記現在の見た目年齢と、前記予測時期取得手段により取得した前記予測する時期と、前記老化速度推定手段により推定した前記老化速度とに基づいて、将来の見た目年齢を推定する将来見た目年齢推定手段と、
を更に備えることを特徴とする。
【００１１】
また、本発明の老化予測装置は、
実年齢を取得する実年齢取得手段と、
前記現在見た目年齢推定手段により推定した前記現在の見た目年齢と前記実年齢取得手段により取得した前記実年齢とを比較し、現在の見た目年齢の状態を判定する現在見た目年齢状態判定手段と、
前記将来見た目年齢推定手段により推定した前記将来の見た目年齢と前記実年齢取得手段により取得した前記実年齢とを比較し、将来の見た目年齢の状態を判定する将来見た目年齢状態判定手段と、
前記現在見た目年齢状態判定手段により判定した前記現在の見た目年齢の状態と前記将来見た目年齢状態判定手段により判定した将来の見た目年齢の状態とに基づいて、見た目年齢に対する総合的な判定をする見た目年齢総合判定手段と、
を更に備えることを特徴とする。
【００１２】
また、本発明の老化予測装置は、
前記体脂肪率指標を推定する体脂肪率指標推定手段と、
前記筋発達度指標を推定する筋発達度指標推定手段と、
を更に備えることを特徴とする。
【００１３】
また、本発明のプログラムは、
コンピュータを、
体脂肪率指標及び筋発達度指標に基づいて、抗加齢指標を推定する抗加齢指標推定手段、
前記抗加齢指標推定手段により推定した前記抗加齢指標に基づいて、老化速度を推定する老化速度推定手段、
として機能させる。
【００１４】
また、本発明のプログラムは、
前記コンピュータを、
前記抗加齢指標推定手段が、
前記体脂肪率指標と、同性別の平均及び標準偏差とに基づいて、前記抗加齢指標として、体脂肪率指標による抗加齢指標を推定する第一の個別抗加齢指標推定手段、
前記筋発達度指標と、同性別の平均及び標準偏差とに基づいて、前記抗加齢指標として、筋発達度指標による抗加齢指標を推定する第二の個別抗加齢指標推定手段、
前記第一の個別抗加齢指標推定手段により推定した前記体脂肪率指標による抗加齢指標と、前記第二の個別抗加齢指標推定手段により推定した前記筋発達度指標による抗加齢指標とに基づいて、総合抗加齢指標を推定する総合抗加齢指標推定手段、
として機能させる。
【発明の効果】
【００１５】
本発明の老化予測装置によれば、簡単に、老化を予測することができる。
【図面の簡単な説明】
【００１６】
【図１】グリコアルブミンと体脂肪率指標との相関関係を示す図である。
【図２】ソマトメジンと筋発達度指標との相関関係を示す図である。
【図３】本発明に係わる老化予測装置の外観を示す外観図である。
【図４】本発明に係わる老化予測装置の構成を示すブロック図である。
【図５】本発明に係わる老化予測装置の計測プログラムによる処理（現在の見た目を判定するまで）のフローチャートである。
【図６】本発明に係わる老化予測装置の計測プログラムによる処理（将来の見た目を判定するまで）のフローチャートである。
【図７】体脂肪率指標の統計結果を示すデータテーブルである。
【図８】筋発達度指標の統計結果を示すデータテーブルである。
【図９】総合抗加齢指標を求めるためのデータテーブルである。
【図１０】総合判定をするためのデータテーブルである。
【図１１】将来の見た目年齢と現在の見た目年齢との関係を示すグラフである。
【図１２】現在、実年齢より老けて見える場合における将来の見た目年齢と現在の見た目年齢との関係を示すグラフである。
【図１３】現在、実年齢より若く見える場合における将来の見た目年齢と現在の見た目年齢との関係を示すグラフである。
【図１４】総合抗加齢指標を求めるためのデータテーブルである。（変形例）
【図１５】総合抗加齢指標を求めるためのデータテーブルである。（変形例）
【発明を実施するための形態】
【００１７】
（ａ）体内に余剰な糖ができると、タンパク質と結合し、タンパク質が変性し、変性したタンパク質は老化物質を生成することが一般に知られているが、このときの余剰な糖と密接な関係がある血糖値の指標として用いられるグリコアルブミンが、図１の体脂肪率指標とグリコアルブミンとの関係に示されるように体脂肪率指標と相関すること、（ｂ）成長ホルモンの分泌に応じて生成され、細胞の老化を阻むソマトメジン（ＩＦＧ−Ｉ）が、図２の筋発達度指標とソマトメジンとの関係に示されるように筋発達度指標相関すること、が本発明者の研究により見出された。
【００１８】
なお、ここで、体脂肪率指標とは、体脂肪率、又は、これに大きく寄与する要素（例えば、身体（全身又は部位）についての長さ、重量、生体インピーダンス（リアクタンス成分又はレジスタンス成分でも良い）のうちから２つ以上により求められた値など）を示す。また、筋発達度指標とは、筋発達度、又は、これに大きく寄与する要素（例えば、生体インピーダンスのリアクタンス成分と生体インピーダンスのレジスタンス成分とにより求められた値、高周波測定における生体インピーダンスと低周波測定における生体インピーダンスとにより求められた値、高周波測定における生体インピーダンスのレジスタンス成分と低周波測定における生体インピーダンスのレジスタンス成分とにより求められた値など）を示す。
【００１９】
そこで、本発明者は、これらの点に着眼することで、課題を達成するために、以下の本発明に係わる老化予測装置を創作した。
【００２０】
＜実施例＞
まず、図３及び図４を用いて、本発明に係わる老化予測装置の具体的な構成について説明する。
【００２１】
図３は、本発明に係わる老化予測装置の外観図である。図３に示すように、老化予測装置１は、本体１２０に把持部１２１が取り外し可能にセットされた構成となっている。本体１２０と把持部１２１とは図示しない通信ケーブルで接続されている。通信ケーブルは、本体１２０に引き戻す力が付与された状態で本体１２０に収容されている。このため、被測定者が本体１２０に身体を載せ、把持部１２１を両手で把持して本体１２０から取り外して立位姿勢をとると、通信ケーブルは本体１２０から引き出される。また、測定が終了して把持部１２１を本体１２０に戻す動作を行うと、通信ケーブルは本体１２０に引き戻されて自動的に本体１２０の中に収容される。
【００２２】
本体１２０は、左足つま先側用である第１足通電用電極１０６ａ、右足つま先側用である第２足通電用電極１０６ｂ、左足踵側用である第１足測定用電極１０５ａ、及び右足踵側用である第２足測定用電極１０５ｂを備える。
【００２３】
第１足通電用電極１０６ａは、本体１２０に左足を載せた際に、左足のつま先側が接触する位置に形成され、第２足通電用電極１０６ｂは、本体１２０に右足を載せた際に、右足のつま先側が接触する位置に形成される。
【００２４】
第１足測定用電極１０５ａは、本体１２０に左足を載せた際に、左足の踵側が接触する位置に形成され、第２足測定用電極１０５ｂは、本体１２０に右足を載せた際に、右足の踵側が接触する位置に形成される。
【００２５】
把持部１２１は、左手の指側用である第１手通電用電極１０６ｃ、右手の指側用である第２手通電用電極１０６ｄ、左手の掌側用である第１手測定用電極１０５ｃ、右手の掌側用である第２手測定用電極１０５ｄ、表示部１１０及び入力部１１１を備える。
【００２６】
第１手通電用電極１０６ｃは、把持部１２１の左側を左手で把持した際に、左手の指側が接触する位置に形成され、第２手通電用電極１０６ｄは、把持部１２１の右側を右手で把持した際に、右手の指側が接触する位置に形成される。
【００２７】
第１手測定用電極１０５ｃは、把持部１２１の左側を左手で把持した際に、左手の掌側が接触する位置に形成され、第２手測定用電極１０５ｄは、把持部１２１の右側を右手で把持した際に、右手の掌側が接触する位置に形成される。
【００２８】
図４は、本発明に係わる老化予測装置のブロック図である。図４に示すように、老化予測装置１は、電源部１０１、重量測定部１０２、重量センサ１０３、生体インピーダンス測定部１０４、測定用電極１０５（第１足測定用電極１０５ａ、第２足測定用電極１０５ｂ、第１手測定用電極１０５ｃ、第２手測定用電極１０５ｄ）、通電用電極１０６（第１足通電用電極１０６ａ、第２足通電用電極１０６ｂ、第１手通電用電極１０６ｃ、第２手通電用電極１０６ｄ）、第１切替部１０７ａ、第２切替部１０７ｂ、計時部１０９、表示部１１０、入力部１１１、記憶部１１２、通信部１１３、及び演算・制御部１１４を備える。
【００２９】
電源部１０１は、本装置の電気系統各部に電力を供給する。
【００３０】
重量センサ１０３は、本体に作用する重量を検出し、重量信号を出力する。
【００３１】
重量測定部１０２は、重量センサ１０３から出力された重量信号を体重算出のための重量信号に変換する。
【００３２】
第１切替部１０７ａは、演算・制御部１１４からの制御により、生体インピーダンス測定部１０４と接続する測定用電極１０５に切り替える。ここで、測定用電極１０５は、第１足測定用電極１０５ａ、第２足測定用電極１０５ｂ、第１手測定用電極１０５ｃ及び第２手測定用電極１０５ｄの中から身体の測定部位に応じて必要なものが選択される。
【００３３】
第２切替部１０７ｂは、演算・制御部１１４からの制御により、生体インピーダンス測定部１０４と接続する通電用電極１０６に切り替える。ここで、通電用電極１０６は、第１足通電用電極１０６ａ、第２足通電用電極１０６ｂ、第１手通電用電極１０６ｃ及び第２手通電用電極１０６ｄの内から身体の通電部位に応じて必要なものが選択される。
【００３４】
生体インピーダンス測定部１０４は、演算・制御部１１４からの制御により、第２切替部１０７ｂで切り替えられた通電用電極１０６を通じて身体に交流定電流を流し、第１切替部１０７ａで切り替えられた測定用電極１０５を通じて身体に生じた電圧を測定する。
なお、ここで、交流定電流は、基準周波数（例えば、５０ｋＨｚ）、高周波数（例えば、２５０ｋＨｚ）、低周波数（例えば、５ｋＨｚ）のそれぞれについて流され、それぞれについての電圧が測定されるものである。
【００３５】
計時部１０９は、時間を測定する。
【００３６】
入力部１１１は、演算・制御部１１４からの制御により、使用者の操作に従って入力された、年齢、性別、身長などの身体特定化情報、予測する時期その他の入力情報を取得する。
【００３７】
表示部１１０は、演算・制御部１１４からの制御により、演算・制御部１１４で計測プログラムを実行するために必要な操作情報、入力部１１１で取得された入力情報、重量測定部１０２に基づいて測定された結果情報、生体インピーダンス測定部に基づいて測定された結果情報、演算・制御部１１４で求めた各種の結果情報その他の報知情報を表示する。
【００３８】
記憶部１１２は、演算・制御部１１４で実行される計測プログラム、この計測プログラムの実行において用いられる下記の各種の演算式及びデータテーブルを予め記憶する。また、入力部１１１で取得された入力情報、演算・制御部１１４で計測プログラムの実行により得られた結果情報その他の各種情報を記憶する。
【００３９】
なお、下記の各種の演算式及びデータテーブルは、不特定多数の対象者をサンプルとして、統計的手法などにより分析されて求められたものである。
Ａ．各種の演算式
ａ．体幹部脂肪量、下肢脂肪量、体脂肪率その他の体組成指標を求めるための男女別演算式・・・例えば、体幹部脂肪量＝ｆ（生体インピーダンス、体重、身長）、下肢脂肪量＝ｆ（生体インピーダンス、体重、身長）、体脂肪率＝ｆ（生体インピーダンス、体重、身長）、
ｂ．現在の見た目年齢を求めるための男女別演算式・・・例えば、現在の見た目年齢＝体幹部脂肪量÷下肢脂肪量、
ｃ．体脂肪率指標を求めるための男女別演算式・・・例えば、体脂肪率指標＝係数×（身長２÷体重÷生体インピーダンス）、
ｄ．筋発達度指標を求めるための男女別演算式・・・例えば、筋発達度指標＝高周波数測定による生体インピーダンス÷低周波数測定による生体インピーダンス、
ｅ．体脂肪率指標による抗加齢指標を求めるための男女別演算式・・・例えば、体脂肪率指標による抗加齢指標＝（体脂肪率指標−平均値）÷標準偏差値、
ｆ．筋発達度指標による抗加齢指標を求めるための男女別演算式・・・例えば、筋発達度指標による抗加齢指標＝（筋発達度指標−平均値）÷標準偏差値、
ｇ．老化速度を求めるための男女別演算式・・・例えば、老化速度＝１＋総合抗加齢指標÷３、
ｈ．将来の見た目年齢を求めるための演算式・・・例えば、将来の見た目年齢＝現在の見た目年齢＋老化速度×予測する時期、
Ｂ．各種のデータテーブル
ｉ．体脂肪率指標の統計結果を示すデータテーブル・・・例えば、図７、
ｊ．筋発達度指標の統計結果を示すデータテーブル・・・例えば、図８、
ｋ．総合抗加齢指標を求めるための男女別データテーブル・・・例えば、図９、図１４、図１５、
ｍ．総合判定をするためのデータテーブル・・・例えば、図１０。
【００４０】
なお、ここで、図９に示す総合抗加齢指標を求めるための男女別データテーブルでは、総合抗加齢指標を示す欄のａ１〜ｇ７は、ａ１→ａ７→ｇ７及びａ１→ｇ１→ｇ７になるほど低値となり、更に、老化速度を求めるための男女別演算式に代入して求めた際に、図１１に示す将来の見た目年齢と現在の見た目年齢との関係グラフにおける直線の傾きを示すものとなるような値が設定されている。
また、図１４に示す総合抗加齢指標を求めるための男女別データテーブルでは、総合抗加齢指標を示す欄のｈ１〜ｈ７は、ｈ１→ｈ７になるほど低値となり、更に、老化速度を求めるための男女別演算式に代入して求めた際に、図１１に示す将来の見た目年齢と現在の見た目年齢との関係グラフにおける直線の傾きを示すものとなるような値が設定されている。
また、図１５に示す総合抗加齢指標を求めるための男女別データテーブルでは、総合抗加齢指標を示す欄のｉ１〜ｉ７は、ｉ１→ｉ７になるほど低値となり、更に、老化速度を求めるための男女別演算式に代入して求めた際に、図１１に示す将来の見た目年齢と現在の見た目年齢との関係グラフにおける直線の傾きを示すものとなるような値が設定されている。
【００４１】
通信部１１３は、スマートフォン、タブレット端末、携帯電話などの携帯端末、パーソナルコンピュータ、生体測定装置その他の外部装置と、入力情報、結果情報その他の通信情報の送受信を無線通信又は有線通信により行う。
【００４２】
演算・制御部１１４は、本装置を構成する各部を制御し、また、記憶部１１２に予め記憶された計測プログラムに基づいて後述する図３の処理を実行する。
【００４３】
なお、上述した各部の組合せにより種々の手段を構成する。
（ｉ）計測プログラム及び体脂肪率指標を求めるための男女別演算式を予め記憶する記憶部１１２と、計測プログラムを実行する演算・制御部１１４とにより、体脂肪率指標を推定する体脂肪率指標推定手段を構成する。
（ｉｉ）計測プログラム及び筋発達度指標を求めるための男女別演算式を予め記憶する記憶部１１２と、計測プログラムを実行する演算・制御部１１４とにより、筋発達度指標を推定する筋発達度指標推定手段を構成する。
（ｉｉｉ）計測プログラム、体脂肪率指標の統計結果を示すデータテーブル及び体脂肪率指標による抗加齢指標を求めるための男女別演算式を予め記憶する記憶部１１２と、計測プログラムを実行する演算・制御部１１４とにより、体脂肪率指標による抗加齢指標を推定する第一の個別抗加齢指標推定手段を構成する。
（ｉｖ）計測プログラム、筋発達度指標の統計結果を示すデータテーブル及び筋発達度指標による抗加齢指標を求めるための男女別演算式を予め記憶する記憶部１１２と、計測プログラムを実行する演算・制御部１１４とにより、筋発達度指標による抗加齢指標を推定する第二の個別抗加齢指標推定手段を構成する。
（ｖ）計測プログラム及び総合抗加齢指標を求めるための男女別データテーブルを予め記憶する記憶部１１２と、計測プログラムを実行する演算・制御部１１４とにより、総合抗加齢指標を推定する総合抗加齢指標推定手段を構成する。
（ｖｉ）第一の個別抗加齢指標推定手段と第二の個別抗加齢指標推定手段と総合抗加齢指標推定手段とにより、又は、第一の個別抗加齢指標推定手段と総合抗加齢指標推定手段とにより、又は、第二の個別抗加齢指標推定手段と総合抗加齢指標推定手段とにより、抗加齢指標を推定する抗加齢指標推定手段を構成する。
（ｖｉｉ）計測プログラム及び老化速度を求めるための男女別演算式を予め記憶する記憶部１１２と計測プログラムを実行する演算・制御部１１４とにより、老化速度を推定する老化速度推定手段を構成する。
（ｖｉｉｉ）計測プログラム及び現在の見た目年齢を求めるための男女別演算式を予め記憶する記憶部１１２と、計測プログラムを実行する演算・制御部１１４とにより、現在の見た目年齢を推定する現在見た目年齢推定手段を構成する。
（ｉｘ）予測する時期を取得する入力部と、計測プログラムを予め記憶する記憶部１１２と、計測プログラムを実行する演算・制御部１１４とにより、予測する時期を取得する予測時期取得手段を構成する。
（ｘ）計測プログラム及び将来の見た目年齢を求めるための演算式を予め記憶する記憶部１１２と、計測プログラムを実行する演算・制御部１１４とにより、将来の見た目年齢を推定する将来見た目年齢推定手段を構成する。
（ｘｉ）年齢を取得する入力部と、計測プログラムを予め記憶する記憶部１１２と、計測プログラムを実行する演算・制御部１１４とにより、実年齢を取得する実年齢取得手段を構成する。
（ｘｉｉ）計測プログラムを予め記憶する記憶部１１２と、計測プログラムを実行する演算・制御部１１４とにより、現在の見た目年齢の状態を判定する現在見た目年齢状態判定手段を構成する。
（ｘｉｉｉ）計測プログラムを予め記憶する記憶部１１２と、計測プログラムを実行する演算・制御部１１４とにより、将来の見た目年齢の状態を判定する将来見た目年齢状態判定手段を構成する。
（ｘｉｖ）計測プログラム及び総合判定をするためのデータテーブルを予め記憶する記憶部１１２と、計測プログラムを実行する演算・制御部１１４とにより、見た目年齢に対する総合的な判定をする見た目年齢総合判定手段を構成する。
【００４４】
また、各種の演算式及びデータテーブル、計測プログラムを予め記憶する記憶部１１２と、計測プログラムを実行する演算・制御部１１４とによりコンピュータを構成する。
【００４５】
次に、図５及び図６を主に用いて、本発明に係わる老化予測装置１の演算・制御部１１４において実行される計測プログラムの処理について説明する。
なお、演算・制御部１１４では、計測プログラムの処理の実行段階で求められた各結果情報を記憶部１１２に記憶させるものである。
図５は、本発明に係わる老化予測装置の計測プログラムによる現在の見た目を判定するまでの処理のフローチャートである。
【００４６】
ステップＳ１では、ユーザーが入力部１１１から年齢、性別、身長などの身体特定化情報と、予測する時期とを入力すると、入力された身体特定化情報と予測する時期とを記憶部１１２に記憶させる。
【００４７】
ステップＳ２では、被測定者が把持部１２１を両手で保持して、本体１２０の上に立位姿勢で載った状態になると、重量センサ１０３および重量測定部１０２から出力された体重算出のための重量信号により体重を求める。
【００４８】
ステップＳ３では、次に具体的に述べるが、測定する身体部位に応じて、必要となる測定用電極１０５に第１切替部１０７ａを用いて切り替え、一方、必要となる通電用電極１０６に第２切替部１０７ｂを用いて切り替え、生体インピーダンス測定部１０４から流した交流定電流と測定した電圧とにより全身および各身体部位のそれぞれについての生体インピーダンスを求める。
なお、ここで、全身および各身体部位のそれぞれについての生体インピーダンスは、基準周波数（例えば、５０ｋＨｚ）の交流定電流を流した際、高周波数（例えば、２５０ｋＨｚ）の交流定電流を流した際、低周波数（例えば、５ｋＨｚ）の交流定電流を流した際のそれぞれに対して求められるものである。
【００４９】
具体的には、
（１）全身の生体インピーダンスを測定する場合には、第２切替部１０７ｂを用いて第１足通電用電極１０６ａ及び第１手通電用電極１０６ｃを選択して切り替え、一方、第１切替部１０７ａを用いて第１足測定用電極１０５ａ及び第１手測定用電極１０５ｃを選択して切り替え、生体インピーダンス測定部１０４から流した交流定電流と測定した電圧とにより全身の生体インピーダンスを求める。
（２）両手間の生体インピーダンスを測定する場合には、第２切替部１０７ｂを用いて第１手通電用電極１０６ｃ及び第２手通電用電極１０６ｄを選択して切り替え、一方、第１切替部１０７ａを用いて第１手測定用電極１０５ｃ及び第２手測定用電極１０５ｄを選択して切り替え、生体インピーダンス測定部１０４から流した交流定電流と測定した電圧とにより両手間の生体インピーダンスを求める。
（３）右腕の生体インピーダンスを測定する場合には、第２切替部１０７ｂを用いて第２手通電用電極１０６ｄ及び第２足通電用電極１０６ｂを選択して切り替え、一方、第１切替部１０７ａを用いて第１手測定用電極１０５ｃ及び第２手測定用電極１０５ｄを選択して切り替え、生体インピーダンス測定部１０４から流した交流定電流と測定した電圧とにより右腕の生体インピーダンスを求める。
（４）左腕の生体インピーダンスを測定する場合には、第２切替部１０７ｂを用いて第１手通電用電極１０６ｃ及び第１足通電用電極１０６ａを選択して切り替え、一方、第１切替部１０７ａを用いて第１手測定用電極１０５ｃ及び第２手測定用電極１０５ｄを選択して切り替え、生体インピーダンス測定部１０４から流した交流定電流と測定した電圧とにより左腕の生体インピーダンスを求める。
（５）右脚の生体インピーダンスを測定する場合には、第２切替部１０７ｂを用いて、第２手通電用電極１０６ｄ及び第２足通電用電極１０６ｂを選択して切り替え、一方、第１切替部１０７ａを用いて第１足測定用電極１０５ａ及び第２足測定用電極１０５ｂを選択して切り替え、生体インピーダンス測定部１０４から流した交流定電流と測定した電圧とにより右脚の生体インピーダンスを求める。
（６）左脚の生体インピーダンスを測定する場合には、第２切替部１０７ｂを用いて第１手通電用電極１０６ｃ及び第１足通電用電極１０６ａを選択して切り替え、一方、第１切替部１０７ａを用いて第１足測定用電極１０５ａ及び第２足測定用電極１０５ｂを選択して切り替え、生体インピーダンス測定部１０４から流した交流定電流と測定した電圧とにより左脚の生体インピーダンスを求める。
（７）両足間の生体インピーダンスを測定する場合には、第２切替部１０７ｂを用いて第１足通電用電極１０６ａ及び第２足通電用電極１０６ｂを選択して切り替え、一方、第１切替部１０７ａを用いて第１足測定用電極１０５ａ及び第２足測定用電極１０５ｂを選択して切り替え、生体インピーダンス測定部１０４から流した交流定電流と測定した電圧とにより両足間の生体インピーダンスを求める。
（８）体幹の生体インピーダンスを測定する場合には、第２切替部１０７ｂを用いて第１手通電用電極１０６ｃ及び第１足通電用電極１０６ａを選択して切り替え、一方、第１切替部１０７ａを用いて第２手測定用電極１０５ｄ及び第２足測定用電極１０５ｂを選択して切り替え、生体インピーダンス測定部１０４から流した交流定電流と測定した電圧とにより体幹の生体インピーダンスを求める。
【００５０】
ステップＳ４では、記憶部１１２に記憶された性別が女性、男性のいずれなのかを判定する。
【００５１】
ステップＳ５では、記憶部１１２に予め記憶された体幹部脂肪量を求めるための男女別演算式（ステップＳ４で判定した性別に該当するもの）に、求めた体幹の生体インピーダンス及び体重と、入力された身長とを代入して体幹部脂肪量を求める。
次いで、記憶部に予め記憶された下肢脂肪量を求めるための男女別演算式（ステップＳ４で判定した性別に該当するもの）に、求めた両足間の生体インピーダンス及び体重と、入力された身長とを代入して下肢脂肪量を求める。
次いで、記憶部に予め記憶された現在の見た目年齢を求めるための男女別演算式（ステップＳ４で判定した性別に該当するもの）に、求めた体幹部脂肪量及び下肢脂肪量を代入して現在の見た目年齢を求める。
【００５２】
ステップＳ６では、求めた現在の見た目年齢と入力された年齢（実年齢）とを比較する。
【００５３】
ステップＳ７では、ステップＳ６に次いで、比較結果において現在の見た目年齢が実年齢より高い場合には、現在の見た目年齢の状態を「現在、老けて見える」と判定する。
【００５４】
ステップＳ８では、ステップＳ６に次いで、比較結果において現在の見た目年齢が実年齢より低い場合には、現在の見た目年齢の状態を「現在、若く見える」と判定する。
【００５５】
ステップＳ９では、ステップＳ６に次いで、比較結果において現在の見た目年齢が実年齢と同じ場合には、現在の見た目年齢の状態を「現在、年齢相応に見える」と判定する。
【００５６】
図６は、本発明に係わる老化予測装置１の計測プログラムによる将来の見た目を判定するまでの処理のフローチャートである。
【００５７】
ステップＳ１０では、記憶部１１２に予め記憶された体脂肪率指標を求めるための男女別演算式（ステップＳ４で判定した性別に該当するもの）に、求めた基準周波数測定による両足間の生体インピーダンス及び体重と、入力された身長と、を代入して体脂肪率指標を求める。
次いで、記憶部１１２に予め記憶された筋発達度指標を求めるための男女別演算式（ステップＳ４で判定した性別に該当するもの）に、求めた高周波数測定による両足間の生体インピーダンス及び低周波数測定による両足間の生体インピーダンスを代入して筋発達度指標を求める。
【００５８】
ステップＳ１１では、記憶部１１２に予め記憶された体脂肪率指標による抗加齢指標を求めるための男女別演算式（ステップＳ４で判定した性別に該当するもの）に、求めた体脂肪率指標と、記憶部に予め記憶された体脂肪率指標の統計結果を示すデータテーブルにおける平均値及び標準偏差値（ステップＳ１で取得した同じ性別に該当するもの）と、を代入して体脂肪率指標による抗加齢指標を求める。
次いで、記憶部に予め記憶された筋発達度指標による抗加齢指標を求めるための男女別演算式（ステップＳ４で判定した性別に該当するもの）に、求めた筋発達度指標と、記憶部に予め記憶された筋発達度指標の統計結果を示すデータテーブルにおける平均値及び標準偏差値（ステップＳ１で取得した同じ性別に該当するもの）と、を代入して筋発達度指標による抗加齢指標を求める。
【００５９】
ステップＳ１２では、記憶部に予め記憶された図９に示す総合抗加齢指標を求めるための男女別データテーブル（ステップＳ４で判定した性別に該当するもの）に基づいて、求めた体脂肪率指標による抗加齢指標及び筋発達度指標による抗加齢指標に対応する総合抗加齢指標を特定する。
【００６０】
ステップＳ１３では、記憶部に予め記憶された老化速度を求めるための男女別演算式（ステップＳ４で判定した性別に該当するもの）に、特定した総合抗加齢指標を代入して老化速度を求める。
【００６１】
ステップＳ１４では、記憶部に予め記憶された将来の見た目年齢を求めるための演算式に、求めた老化速度及び現在の見た目年齢と、入力された予測する時期と、を代入して将来の見た目年齢を求める。
【００６２】
ステップＳ１５では、求めた将来の見た目年齢と入力された年齢（実年齢）とを比較する。
【００６３】
ステップＳ１６では、ステップＳ１５に次いで、比較結果において将来の見た目年齢が実年齢より高い場合には、将来の見た目年齢の状態を「将来、老けて見える」と判定する。
【００６４】
ステップＳ１７では、ステップＳ１５に次いで、比較結果において将来の見た目年齢が実年齢より低い場合には、将来の見た目年齢の状態を「将来、若く見える」と判定する。
【００６５】
ステップＳ１８では、ステップＳ１５に次いで、比較結果において将来の見た目年齢が実年齢と同じ場合には、将来の見た目年齢の状態を「将来、年齢相応に見える」と判定する。
【００６６】
ステップＳ１９では、ステップＳ１６、ステップＳ１７又はステップＳ１８に次いで、記憶部に予め記憶された総合判定をするためのデータテーブルに基づいて、求めた現在の見た目年齢及び将来の見た目年齢に対応する総合判定結果を特定し、特定した総合判定結果を表示部１１０により表示させたり、通信部１１３により出力させたりする。
【００６７】
以上により、演算・制御部１１４において実行された計測プログラムの処理が終了する。
【００６８】
なお、ここで、上述したステップＳ５で求める現在の見た目年齢と、ステップＳ１３で求める老化速度と、ステップＳ１４で求める将来の見た目年齢（予測年数後の見た目年齢）との関係を図１１〜図１３に示し説明する。
【００６９】
図１１は、現在の見た目年齢を横軸とし将来の見た目年齢を縦軸として、現在の見た目年齢と将来の見た目年齢とが同じになる場合を老化速度Ｓ＝１（すなわち、老化速度が相応で、例えば、５年後、現在の見た目年齢と将来の見た目年齢が同じ）、現在の見た目年齢よりも将来の見た目年齢が低くなる場合を老化速度Ｓ＜１（すなわち、老化速度が遅く、例えば、５年後、現在の見た目年齢よりも将来の見た目年齢が３歳低い）、現在の見た目年齢よりも将来の見た目年齢が高くなる場合を老化速度Ｓ＞１（すなわち、老化速度が速く、５年後、現在の見た目年齢よりも将来の見た目年齢が２歳高い）として示すグラフである。
【００７０】
図１２は、図１１の関係を示すグラフの横軸に、現在の見た目年齢よりも低い実年齢を示したグラフである。例えば、老化速度Ｓ＜１において、現在、実年齢よりも現在の見た目年齢が高いが、５年後、将来の見た目年齢が低くなることを示し、老化速度Ｓ＞１において、現在、実年齢よりも現在の見た目年齢が高いが、５年後、将来の見た目年齢が更に高くなることを示す。
【００７１】
図１３は、図１１の関係を示すグラフの横軸に、現在の見た目年齢よりも高い実年齢を示したグラフである。例えば、老化速度Ｓ＜１において、現在、実年齢よりも現在の見た目年齢が低いが、５年後、将来の見た目年齢が更に低くなることを示し、老化速度Ｓ＞１において、現在、実年齢よりも現在の見た目年齢が低いが、５年後、将来の見た目年齢が高くなることを示す。
【００７２】
以上、上述した老化予測装置によると、体脂肪率指標推定手段により推定した体脂肪率指標と、筋発達度指標推定手段により推定した筋発達度指標とを基礎にして、老化速度推定手段により推定して老化速度を、将来見た目年齢推定手段により推定して将来の見た目年齢を、又は、将来見た目年齢状態判定手段により推定して将来の見た目年齢の状態を得ることができるので、簡単に、老化を予測することができる。
【００７３】
＜変形例＞
上述した実施例では、ステップＳ１０において、体脂肪率指標と筋発達度指標とを求め、ステップＳ１１において、体脂肪率指標による抗加齢指標と筋発達度指標による抗加齢指標とを求め、ステップＳ１２において、体脂肪率指標による抗加齢指標と筋発達度指標による抗加齢指標とに対応する総合抗加齢指標を特定し、ステップＳ１３において、総合抗加齢指標に基づいて老化速度を求めている。すなわち、老化速度を求めるにあたって、体脂肪率指標及び筋発達度指標に基づいて行っているが、体脂肪率指標又は筋発達度指標のいずれかに基づいて行っても同様に実施可能である。
【００７４】
具体的には、
ステップＳ１０において、記憶部１１２に予め記憶された体脂肪率指標を求めるための男女別演算式（ステップＳ４で判定した性別に該当するもの）に、求めた基準周波数測定による両足間の生体インピーダンス及び体重と、入力された身長と、を代入して体脂肪率指標を求める。又は、記憶部１１２に予め記憶された筋発達度指標を求めるための男女別演算式（ステップＳ４で判定した性別に該当するもの）に、求めた高周波数測定による両足間の生体インピーダンス及び低周波数測定による両足間の生体インピーダンスを代入して筋発達度指標を求める。
次いで、ステップＳ１１において、記憶部１１２に予め記憶された体脂肪率指標による抗加齢指標を求めるための男女別演算式（ステップＳ４で判定した性別に該当するもの）に、求めた体脂肪率指標と、記憶部に予め記憶された体脂肪率指標の統計結果を示すデータテーブルにおける平均値及び標準偏差値（ステップＳ１で取得した同じ性別に該当するもの）と、を代入して体脂肪率指標による抗加齢指標を求める。又は、記憶部に予め記憶された筋発達度指標による抗加齢指標を求めるための男女別演算式（ステップＳ４で判定した性別に該当するもの）に、求めた筋発達度指標と、記憶部に予め記憶された筋発達度指標の統計結果を示すデータテーブルにおける平均値及び標準偏差値（ステップＳ１で取得した同じ性別に該当するもの）と、を代入して筋発達度指標による抗加齢指標を求める。
次いで、ステップＳ１２において、記憶部に予め記憶された図１４に示す総合抗加齢指標を求めるための男女別データテーブル（ステップＳ４で判定した性別に該当するもの）に基づいて、求めた体脂肪率指標による抗加齢指標に対応する総合抗加齢指標を特定する。又は、記憶部に予め記憶された図１５に示す総合抗加齢指標を求めるための男女別データテーブル（ステップＳ４で判定した性別に該当するもの）に基づいて、求めた筋発達度指標による抗加齢指標に対応する総合抗加齢指標を特定する。
次いで、ステップＳ１３において、記憶部に予め記憶された老化速度を求めるための男女別演算式（ステップＳ４で判定した性別に該当するもの）に、特定した体脂肪率指標による抗加齢指標に対応する総合抗加齢指標を代入して老化速度を求める。又は、特定した筋発達度指標による抗加齢指標に対応する総合抗加齢指標を代入して老化速度を求める。
【００７５】
以上のように、体脂肪率指標又は筋発達度指標のいずれかに基づいて行っても老化速度を求めることが可能である。
【００７６】
また、上述した実施例では、記憶部１１２に各種の演算式及びデータテーブルを予め記憶するが、演算式においてはデータテーブルの形式で、また、データテーブルにおいては演算式の形式であっても同様に実施可能である。
【００７７】
また、上述した実施例では、ステップＳ７〜ステップＳ９で判定した現在の見た目年齢の状態の結果体型を、又、ステップＳ１６〜ステップＳ１８で判定した将来の見た目年齢の状態の結果に応じた体型を、表示部１１０に表示することも実施可能である。
【００７８】
また、上述した実施例では、記憶部１１２に予め記憶する各種の演算式として具体的な演算式を例示したが、これに限られるものではない。
例えば、体脂肪率指標を求めるための男女別演算式として、例示した演算式「係数×（身長２÷体重÷生体インピーダンス）」の「身長」に代えて「脚の長さ」としたり、「体重」に代えて「下肢重量」としたり、「生体インピーダンス」に代えて「生体インピーダンスのレジスタンス成分」としたりしてもよい。また、「生体インピーダンス」は、「両足間の生体インピーダンス」であっても、「片脚の生体インピーダンス」であってもよい。
また、筋発達度指標を求めるための男女別演算式として、例示した演算式「筋発達度指標＝高周波数測定による生体インピーダンス÷低周波数測定による生体インピーダンス」に代え、「筋発達度指標＝生体インピーダンスのリアクタンス成分÷生体インピーダンスのレジスタンス成分」としたり、「筋発達度指標＝高周波数測定による生体インピーダンスのレジスタンス成分÷低周波数測定による生体インピーダンスのレジスタンス成分」としたりしてもよい。
また、「筋発達度指標＝第１周波数測定による生体インピーダンス÷第２周波数測定による生体インピーダンス」（ただし、第１周波数と第２周波数とは異なる。）としてもよい。なお、この場合には、生体インピーダンス測定部１０４から、第１周波数（例えば、２５０ｋＨｚ）と第２周波数（例えば、２００ｋＨｚ）との交流定電流が流され、それぞれについての電圧が測定される。
演算・制御部１１４において、入力部１１１、重量測定部１０２、生体インピーダンス測定部１０４から得られた各種情報に基づいて、用いる演算式におけるパラメータを求め、用いる演算式に代入することで、同様に実施可能である。
【００７９】
また、上述した実施例では、計測プログラムは、記憶部１１２に予め記憶され、演算・制御部１１４で実行されるものであったが、磁気ディスク、光磁気ディスク、ＣＤ−ＲＯＭ、ＤＶＤ−ＲＯＭ、半導体メモリなどの記録媒体に記憶され、演算・制御部１１４により実行されるものであっても実施可能である。
また、計測プログラムは、スマートフォン、タブレット端末、携帯電話などの携帯端末、パーソナルコンピュータ、生体測定装置その他の外部装置に記憶され、外部装置又は演算・制御部１１４により実行されるものであっても実施可能である。
また、計測プログラムは、ウェブサイトを通じてダウンロードされ、外部装置又は演算・制御部１１４により実行されるものであっても実施可能である。
【符号の説明】
【００８０】
１・・・老化予測装置
１０１・・・電源部
１０２・・・重量測定部
１０３・・・重量センサ
１０４・・・生体インピーダンス測定部
１０５ａ・・・第１足測定用電極
１０５ｂ・・・第２足測定用電極
１０５ｃ・・・第１手測定用電極
１０５ｄ・・・第２手測定用電極
１０６ａ・・・第１足通電用電極
１０６ｂ・・・第２足通電用電極
１０６ｃ・・・第１手通電用電極
１０６ｄ・・・第２手通電用電極
１０７ａ・・・第１切替部
１０７ｂ・・・第２切替部
１０９・・・計時部
１１０・・・表示部
１１１・・・入力部
１１２・・・記憶部
１１３・・・通信部
１１４・・・演算・制御部
１２０・・・本体
１２１・・・把持部
【図１】
0006565016.tif 000002
【図２】
0006565016.tif 000003
【図３】
0006565016.tif 000004
【図４】
0006565016.tif 000005
【図５】
0006565016.tif 000006
【図６】
0006565016.tif 000007
【図７】
0006565016.tif 000008
【図８】
0006565016.tif 000009
【図９】
0006565016.tif 000010
【図１０】
0006565016.tif 000011
【図１１】
0006565016.tif 000012
【図１２】
0006565016.tif 000013
【図１３】
0006565016.tif 000014
【図１４】
0006565016.tif 000015
【図１５】
0006565016.tif 000016